(57)【要約】【課題】  所定の方向に配置した場合にのみ、揺動センサーの検出する揺動に連動して発光する共に、長期間に亘って発光可能な状態を持続させることが可能な発光装置を備える装身具を提供する。【解決手段】  揺動を検知することによって発光しうる発光装置を備えた装身具であって、上記発光装置は、揺動を検知しうる揺動センサーと、上記発光装置の配置方向を検知しうる配置方向検知手段とを備え、上記揺動センサーによって揺動が検知されると共に、上記配置方向検知手段が所定の配置方向を検出した場合にのみ、上記発光装置を発光させる構成とする。【選択図】  図１
0003155300.tif 000002
【実用新案登録請求の範囲】
【請求項１】
揺動を検知することによって発光しうる発光装置を備えた装身具であって、
上記発光装置は、揺動を検知しうる揺動センサーと、
上記発光装置の配置方向を検知しうる配置方向検知手段とを備え、
上記揺動センサーによって揺動が検知されると共に、上記配置方向検知手段が所定の配置方向を検出した場合にのみ、上記発光装置を発光させることを特徴とする装身具。
【請求項２】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする請求項１記載の装身具。
【請求項３】
上記発光装置は、複数の発光ダイオードを備えると共に、上記複数の発光ダイオードの発光タイミングを調整しうる発光制御部を備えることを特徴とする請求項１又は２記載の装身具。
【請求項４】
上記装身具は、毛髪に装着する髪留め具であることを特徴とする請求項１〜３いずれか１項に記載の装身具。
【請求項５】
上記装身具は、衣服に装着しうるクリップであることを特徴とする請求項１〜３いずれか１項に記載の装身具。
【請求項６】
上記装身具は、手首に装着しうるリストバンドであることを特徴とする請求項１〜３いずれか１項に記載の装身具
【考案の詳細な説明】
【技術分野】
【０００１】
本考案は、身体若しくは衣服に装着される装身具であって、特に揺動を検知することによって発光する発光装置を備える装身具に関する。
【背景技術】
【０００２】
身体若しくは衣服に装着する装身具には、各種のアクセサリー、髪留め具、リストバンド等多種多様な物品が存在する。
これらの物品は、形状、色彩、模様等に工夫をすることによって、装飾効果を高めている。
【０００３】
また、上記装身具の外観を、視認され易い色彩、若しくは模様に形成することによって、他人の注意を喚起し、例えば、児童生徒等が装着することによって、交通安全に寄与するという機能も期待できる。
しかしながら、色彩又は模様の工夫には限界があり、長期間の使用によって次第に飽きられてしまうという不具合を有していた。
また、夜間等の暗い場所においては、視認されにくくなり、他人の注意を喚起する旨の効果が軽減されてしまうという別途の不具合をも有していた。
【０００４】
上記不具合を解決するために、揺動を検知して発光する発光装置を備えた装身が提案されている（特許文献１）。
図６は、上記特許文献１に係る装身具６０の全体斜視図であり、(ａ)はアクセサリー部６１を装着部材６２に取り付けた状態、（ｂ）はアクセサリー部６１を装着部材６２から取り外した状態を示している。
図６に示すように、上記装身具６０は、アクセサリー部６１と、上記アクセサリー部材６１を取り付けうる装着部材６２とから形成されている。
上記装着部材６２は、互いに対向して配置された２枚の円板部材６２ａ、６２ｂと、上記円板部材６２ａ、６２ｂの中心部を接続する接続部６２ｃとから形成されている。
上記アクセサリー部材６１は、一方の円板部材６２ａに貼設固定されている。
また、図７の（ａ）は上記装身具６０を靴６３に装着した場合を示す斜視図及び（ｂ）は上記装身具６０の靴６３への装着部分の拡大断面図である。
図７（ａ）に示すように、上記装着部材６２の一方の円板部材６２ａを、靴６３に予め設けられた孔部６４に押入れることにより、図７（ｂ）に示すように、上記孔部６４の端縁部６４ａが、上記装着部材６２の接続部６２ｃの外周部に圧接し、上記装身具６０は靴６３の表面上に装着固定される。
【０００５】
また、図７（ｂ）に示すように、上記装身具６０のアクセサリー部材６１は、内部に回路基板６５と、上記回路基板６５上に配置され、揺動を検知する揺動センサー６６と、上記揺動センサー６６が揺動を検知した場合に発光する発光素子６７と、上記発光素子６７の電源となる電池６８とを備えている。
上記装身具６０を靴６３に装着した場合、歩行時の揺動を上記揺動センサー６６が検知し、上記揺動に連動して上記発光素子６７が発光する。
従って、視覚的にインパクトが強く斬新であり、夜間等の暗い場所においても視認しうるため、夜間であっても安全に歩行することが可能である。
【０００６】
しかしながら、図７（ｂ）に示すように、上記装身具６０にあっては、上記揺動センサー６６は、上記装着方向に関わり無く揺動を検知し、上記発光素子６７を発光させることから、上記装身具６０を取り外した状態であっても、上記装身具６０の持ち運び、及び収納時にも揺動を検知し、上記発光素子６７を発光させる。
従って、上記揺動センサー６６の揺動検出の有無を自由にコントロールすることができないため、上記装身具の装着時以外の場合あっても、上記電池６８が消耗し、上記発光素子６７の発光可能期間が減縮するという不具合を有していた。
更に、上記アクセサリー部材６１の内部に回路基板６５等が配設されるため、例えば、既製の装身具に、後から回路基板等を取り付けることは困難であり、また、構造も複雑となることから、製作コストが高くなるという別途の不具合をも有していた。
【特許文献１】実登３１４４５５７号
【考案の開示】
【考案が解決しようとする課題】
【０００７】
本考案の課題は、所定の方向に配置した場合にのみ、揺動センサーの検出する揺動に連動して発光する共に、長期間に亘って発光可能な状態を持続させることが可能な発光装置を備える装身具を提供することにある。
【課題を解決するための手段】
【０００８】
上記課題を解決するために、請求項１の考案にかかる装身具は、揺動を検知することによって発光しうる発光装置を備えた装身具であって、上記発光装置は、揺動を検知しうる揺動センサーと、上記発光装置の配置方向を検知しうる配置方向検知手段とを備え、上記揺動センサーによって揺動が検知されると共に、上記配置方向検知手段が所定の配置方向を検出した場合にのみ、上記発光装置を発光させることを特徴とする。
【０００９】
従って、発光装置の配置方向を調整することによって、上記装身具を使用する状態の時にのみ揺動を検知して発光させると共に、装身具を使用しない状態においては揺動を検知することなく発光装置の発光を停止させることができる。
【００１０】
また、請求項２にかかる装身具は、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする。
【００１１】
従って、上記発光装置を上記装身具とは独立した別体の部品とすることが可能であり、一般的な装身具に、後付けで取り付けることが可能となる。
また、上記装身具を雨天時の屋外で使用する場合であっても、上記ケース部に発光回路部が封入されていることから、雨がケース内部に侵入し、発光回路部が濡れることがない。
また、上記スイッチ部によって、上記発光装置の配置方向が速やかに検知され、上記発光回路部の発光有無の状態を切り替えることができる。
【００１２】
また、請求項３にかかる装身具は、上記発光装置は、複数の発光ダイオードを備えると共に、上記複数の発光ダイオードの発光タイミングを調整しうる発光制御部を備えることを特徴とする
従って、振動に連動しつつ、上記複数の発光ダイオードが断続的に発光する。
【００１３】
また、請求項４にかかる装身具は、毛髪に装着する髪留め具であることを特
徴とする。
また、請求項５にかかる装身具は、衣服に装着しうるクリップであることを特徴とする。
また、請求項６にかかる装身具は、手首に装着しうるリストバンドであるこ
とを特徴とする。
従って、夫々、装着する部位、及び装着部位の揺動状態に合わせて、上記発光装置の配置方向を決定することによって、発光状態をコントロールすることが可能である。
【考案の効果】
【００１４】
請求項１の考案にかかる装身具にあっては、揺動を検知することによって発光しうる発光装置を備えた装身具であって、上記発光装置は、揺動を検知しうる揺動センサーと、上記発光装置の配置方向を検知しうる配置方向検知手段とを備え、上記振動センサーによって揺動が検知されると共に、上記配置方向検知手段が所定の配置方向を検出した場合にのみ、上記発光装置を発光させることから、所定の方向に配置した場合にのみ、揺動センサーの検出する揺動に連動して発光する共に、長期間に亘って発光可能な状態を持続させることが可能な発光装置を備える装身具を提供することができる。
【００１５】
また、請求項２の考案に係る装身具にあっては、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することから、請求項１の効果に加え、上記発光装置が、装身具とは独立した別体の部品として供給されるため、一般的な装身具に後付けで取り付けることが可能となり、製造コストをより低減することが可能である。
また、上記ケース部によって雨等から内部の発光回路部が保護されるため、上記発光装置の耐久性がより向上する
更に、請求項３の考案に係る装身具にあっては、上記発光装置は、複数の発光ダイオードを備えると共に、上記複数の発光ダイオードの発光タイミングを調整しうる発光制御部を備えることから、請求項２の効果に加え、上記発光装置の発光パターンがより複雑となり、視覚的インパクトが高くなる。
【００１６】
また、請求項４乃至６の考案に係る装身具にあっては、装身具の種類及び装着場所に応じて、最適な発光状態となるように、上記発光装置を配置することによって、上記発光装置の電池消耗を更に小さく経済的な装身具を提供することが可能である。
【図面の簡単な説明】
【００１７】
【図１】本考案の一実施の形態を示し、実施例の形態において、発光装置をクリップに取り付けた状態を示す背面斜視図である。
【図２】本考案の一実施の形態を示し、実施例の形態において、発光装置を髪留め具に取り付けた状態を示す斜視図である。
【図３】本考案の一実施の形態を示し、実施例の形態において、発光装置をリストバンドに取り付け、上記リストバンドを手首に装着した状態を示す斜視図である。
【図４】本考案の一実施の形態を示し、実施例の形態の装身具に取り付けられた発光装置の（ａ）は正面図、（ｂ）は側面図、（ｃ）は背面図である。
【図５】本考案の一実施の形態を示し、実施例の形態の装身具に取り付けられた発光装置の回路配置を示し、（ａ）は配置方向検知手段のスイッチ部がオンの状態、（ｂ）配置方向検知手段のスイッチ部がオフの状態を示す概略図である。
【図６】従来の装身具の全体斜視図である。
【図７】従来の装身具を靴に取り付けた状態の（ａ）は全体斜視図、（ｂ）は取り付け部分の拡大断面図である。
【考案を実施するための最良の形態】
【００１８】
以下添付図面を用いて本製品の実施の形態を、装身具がクリップである場合を例として説明する。
図１に示すように、本実施例に係るクリップ１０は、揺動を検知することによって発光しうる発光装置１１を備えている。
また、図４（ａ）に示すように、上記発光装置１１は、揺動を検知しうる揺動センサー１２と、上記発光装置の配置方向を検知しうる配置方向検知手段１３とを備え、上記揺動センサー１２によって揺動が検知されると共に、上記配置方向検知手段１３とを備えている。
また、上記発光装置１１は、図４（ｂ）に示すように、合成樹脂からなる薄板片のケース部１４と、上記ケース部１４に封入された発光回路部１５とから形成され、上記発光回路部１５は、図４（ａ）に示すように、電池１６と、同図（ｃ）に示すように、上記電池１６から電源供給を受けることによって発光しうる３つの発光ダイオード１７、１７、１７と、外部から加えられた揺動を検知しうる揺動検知センサー１２と、上記発光装置１１の配置方向を検知しうる配置方向検知手段１３とを備え、図５に示すように、上記配置方向検知手段１３は、上記発光装置１１が所定の方向に配置された場合には、回路を通電可能な状態に保持すると共に、上記発光装置が所定方向以外に配置された場合には回路を遮断状態に保持しうるスイッチ部１８を備えている。
【実施例１】
【００１９】
以下に、本実施例の構成について添付図面を用いて詳述する。
図１は本考案に係るクリップ１０に発光装置１１を取り付けた状態を示す背面斜視図である。
図１に示すように、本実施例に係るクリップ１０は、略長方形の透明若しくは半透明の２枚の樹脂板３０、３１とから形成され、上記樹脂板３０、３１はヒンジ部３２によって開閉可能に軸承され、上記ヒンジ部３２には、上記樹脂板３０、３１の長さ方向一端部が互いに当接した状態に付勢するコイルバネ３３が配設されている。
また、上記樹脂板３０の外方面部３４には、動物の形状を模した半透明の装飾部材３５が取り付けられている。
また、上記樹脂板３０の内方面部３６には、発光装置１１が貼設固定されている。
【００２０】
また、図４（ａ）は上記発光装置１１の正面図、（ｂ）は側面図、（ｃ）は背面図を夫々示している。
図４に示すように、上記発光装置１１のケース部１４は半透明の合成樹脂からなり、薄型の長方形板片に形成されている。
また、上記発光回路部１５は、上記ケース部１４と略同一の幅寸法及び長さ寸法に形成された基板２５と、上記基板２５上に配置された揺動センサー１２と、配置方向検知手段１３と、発光制御部１９と、３つの発光ダイオード１７、１７、１７と、上記基板２５の近傍に配置された釦電池である電池１６とから形成されている。
上記発光回路部１５は上記ケース部１４の内部に封入されている。
なお、上記発光回路部１５における、上記揺動センサー１２、配置方向検知手段１３、発光ダイオード１７、１７、１７の配置位置については、各部品の機能に影響を与えない範囲で、自由に配置変更が可能であり、配置を変更した場合であっても、本実施例の作用には影響しない。
また、図５は、上記発光回路部１５の構成例を示す概略図である。
図５（ａ）に示すように、上記揺動センサー１２は、有底円筒形の固定接点部１２ａと、上記固定接点部１２ａの内部に挿入されたコイルバネからなる可動接点部１２ｂとから形成されている。
上記発光装置１１を揺動させた場合、上記揺動に連動して、上記可動接点部１２ｂが矢印Ａの方向に揺動し、上記固定接点部１２ａに対し、当接と離間を繰り返す。
また、上記配置方向検知手段１３のスイッチ部１８は、接続線路２６の一部が遮断された遮断部１８ａと、図５（ａ）に示すように、上記発光装置１１が所定の方向に配置された場合にのみ、上記遮断部１８ａの両端を接続し、同図（ｂ）に示すように、上記所定方向以外に配置された場合には、上記遮断部１８ａの両端から離間して配置されるスイッチ片部１８ｂとから形成されている。
【００２１】
以下、本実施例の作用について添付図面を用いて説明する。
図４（ａ）に示すように上記発光装置１１のケース部１４の表面には、上記発光装置１１が発光しうる配置方向を示す案内矢印２７が印字されている。
すなわち、上記案内矢印２７の先端を上方に向けて上記発光装置１１を配置した場合、図５（ａ）に示すように上記配置方向検出手段１３のスイッチ部１８において、スイッチ片部１８ｂが接続線路２６の遮断部１８ａを接続するように配置される。
従って、上記の場合、上記揺動センサー１２において、可動接点部１２ａと固定接点部１２ｂとが当接することによって、発光ダイオード１７、１７、１７に通電され、上記発光ダイオード１７、１７、１７が発光する。
この際、上記発光制御部１９によって、上記発光ダイオード１７、１７、１７の発光タイミングに所定の遅延を生じさせる等によって、発光パターンが複雑になり、視覚的インパクトがより大きくすることができる。
また、図４（ａ）に示す、上記案内矢印２７の先端を下方に向けて上記発光装置１１を配置した場合は、図５（ｂ）に示すように、上記配置方向検出手段１３のスイッチ部１８において、スイッチ片部１８ｂが接続線路２６の遮断部１８ａと離間して配置される。
従って、上記の場合は、可動接点部１２ａと固定接点部１２ｂとが当接した場合であっても、上記遮断部１８ａによって回路が遮断されているため、上記発光ダイオード１７、１７、１７が発光することはない。
【００２２】
図１に示すように、本実施例に係るクリップ１０を衣服等に装着した場合に、上記発光装置１１の上記案内矢印２７の先端が上方に向いて配置されている場合は、身体を動かすことによって、上記発光装置１１が揺動した際に、上記発光ダイオード１７、１７、１７が断続的に発光する。
また、クリップ１０の装着方向を変更し、上記案内矢印２７の先端を下方に向けて上記発光装置１１を配置することによって、容易に発光を停止することができる。
また、収納保管等する際には、上記案内矢印２７の先端を下方に向くように収納することによって、収納時に発光することを防止できる。
従って、上記電池１６の消耗も極力小さくすることができるため、非常に経済的である。
また、発光装置１１は、粘着剤、若しくは両面テープ等を用いて、既製のクリップ１０に簡単に装着することができるため、別途専用のクリップを製造する必要もなく、製造コストを低減することができる。
【実施例２】
【００２３】
また、図２に示すように、本実施例に係る発光装置１１は、髪留め具４０に装着することもできる。
図２に示すように、発光装置１１は、髪留め具４０の把持部４１近傍に装着された半透明色のワッペン４２の内部に埋設されている。
図２に示すように、ワッペン４２の内部に上記発光装置１１を埋設することによって、発光装置１１が直接視認されないため、髪留め具４０としての外観品質を良好に保ちつつ、上記発光装置１１の光は上記ワッペン４２を透過するため、装着時に身体の動きに合わせて発光する、装飾性が高い髪留め具４０を提供することができる。
また、上記案内矢印２７の先端を下方に向くように装着することによって、容易に発光を停止させられるため、発光が不要な場合であっても髪留め具４０を使用することができる。
【実施例３】
【００２４】
また、図３に示すように、本実施例に係る発光装置１１はリストバンド５０に装着することもできる。
図３に示すように、上記発光部材１１は、リストバンド５０に取り付けられた、薄い樹脂製シートで形成されエンブレム部５１の内部に埋設されている。
従って、リストバンド５０を手５２に装着し、手を揺動させることによって、上記発光部材１１の光が上記エンブレム部５１を透過するため、手の動きに合わせて、断続的に発光する極めて装飾性がたかいリストバンド５０を提供することができる。
また、リストバンド５０を手５２に装着し手を上方に上げた場合に、案内矢印２７の先端を上方に向くように、上記発光装置１１の埋設方向を設定することによって、腕を上げた場合にのみ発光し、腕を下げた場合には発光させないようにすることができる。
従って、コンサート会場、スポーツ等の応援の小道具として大変有用である。
【００２５】
なお、上記各実施例においては、装身具の例としてクリップ、髪留め具、リストバンドについて記載したが、上記以外の装身具、例えばイヤリング等の各種アクセサリー、カツラ、帽子等であってもよい。
また、発光装置の形状については、特に長方形に限定する必要は無く、装着対象物によって自由に変更することが可能である。
また、発光ダイオードの数、及び色彩等についても、使用用途によって適宜変更が可能であり、その場合であっても、本実施例と同様の作用効果を得ることが可能である。
また、各種装身具に取り付ける発光装置の数、及び装着場所についても何ら制約は無く、自由に変更が可能である。
【産業上の利用可能性】
【００２６】
本考案は、本考案は、揺動を検知することによって発光する発光装置を備える装身具に適用可能である。
【符号の説明】
【００２７】
１０  クリップ
１１  発光装置
１２  揺動センサー
１２ａ固定接点部
１２ｂ可動接点部
１３  配置方向検知手段
１４  ケース部
１５  発光回路部
１６  電池
１７  発光ダイオード
１８  スイッチ部
１８ａ遮断部
１８ｂスイッチ片部
１９  発光制御部
２５  基板
２６  接続線路
２７  案内矢印
３０  クリップの樹脂板
３１  クリップの樹脂板
３２  ヒンジ部
３３  コイルバネ
３４  樹脂板の外方面部
３５  装飾部材
３６  樹脂板の内方面部
４０  髪留め具
４１  髪留め具の把持部
４２  ワッペン
５０  リストバンド
５１  エンブレム部
５２  手
６０  装身具
６１  アクセサリー部材
６２  装着部材
６２ａ円板部材
６２ｂ円板部材
６２ｃ接続部
６３  靴
６４  孔部
６４ａ孔部端縁部
６５  回路基板
６６  揺動センサー
６７  発光素子
６８  電池
【図１】
0003155300.tif 000003
【図２】
0003155300.tif 000004
【図３】
0003155300.tif 000005
【図４】
0003155300.tif 000006
【図５】
0003155300.tif 000007
【図６】
0003155300.tif 000008
【図７】
0003155300.tif 000009